(57)【特許請求の範囲】
【請求項１】
リモコン送信部から送信された制御信号により発熱体を制御するリモコン受信部を有するこたつ本体上に載置されて使用され、前記リモコン受信部に向けて制御信号を送信するリモコン送信部を内蔵した電気こたつ用食卓台において、その食卓台は、紙材からなる平板状のフラッシュ構造材の一方の面に剛性を有する平板と緩衝用の第一のシートと予め所定の模様が描かれた第二のシートとをこの順に接合し、他方の面に少なくとも剛性を有する平板を接合して一体化した板状体であって、前記第一のシートが導電性を有するシートにより構成されており、前記リモコン送信部は、前記平板状のフラッシュ構造材を部分的に切り欠いた空間内に配置されていることを特徴とする電気こたつ用食卓台。
【請求項２】
リモコン送信部から送信された制御信号により発熱体を制御するリモコン受信部を有するこたつ本体上に載置されて使用され、前記リモコン受信部に向けて制御信号を送信するリモコン送信部を内蔵した電気こたつ用食卓台の製造方法において、紙材からなる平板状のフラッシュ構造材に予め前記リモコン送信部が収納される空間を形成しておき、その収納空間が形成されたフラッシュ構造材の一方の面に剛性を有する平板と、導電性を有する緩衝用の第一のシートと、予め所定の模様が描かれた第二のシートとをこの順序で接合し、他方の面に少なくとも剛性を有する平板を接合して一体化して板状体を形成し、然る後に、前記他方の面側から前記板状体の前記収納空間上の前記平板を部分的に除去して前記収納空間部を外部に露出せしめ、その収納空間部に前記リモコン送信部を収納配置することを特徴とした電気こたつ用食卓台の製造方法。
【発明の詳細な説明】
【０００１】
【発明の属する技術分野】
本発明は、発熱体が配置されたやぐらよりなるこたつ本体と、そのこたつ本体に載置される食卓台からなる電気やぐらこたつ用食卓台およびその製造方法に関し、特に、こたつ本体に設けた発熱体の温度設定を、食卓台に内蔵されたリモコン送信部からこたつ布団を介して操作できるようにした電気こたつ用食卓台およびその製造方法に関する。
【０００２】
【従来の技術】
従来、電気やぐらこたつにおいて、こたつ本体に設けられた発熱体の発熱量を調整するための操作は、電源コードの中間部に設けられたコントローラにより行うものと、発熱体を収納した発熱体ユニットの側面等に設けられた調節器で行うものとの２種類の方法があった。そのため操作を行う場所が限られていたり、また、コントローラがこたつ布団の下に隠れてしまったりして見つけにくいなどの不具合があった。
【０００３】
そこで、これらの不具合を解消するために電磁誘導、電磁結合、あるいは微弱電磁波電送等を利用してワイヤレスで操作することが検討されており、食卓台に内蔵したリモコン送信部から制御信号を送信し、こたつ本体側に設けられたリモコン送信部にて制御信号を復調して発熱体を制御するものが種々提案されている。
【０００４】
【発明が解決しようとする課題】
このように、電磁誘導、電磁結合、あるいは微弱電磁波電送等を利用して食卓台に内蔵したリモコン送信部から制御信号を送信し、こたつ本体に設けたリモコン受信部にて制御信号を復調して発熱体を制御するものが提案されているが、しかしながら、食卓台の近傍に電磁調理器や電子レンジ、あるいはコードレスホン等の家庭内電化製品があるとき、それらが発生する不要電磁界などによりリモコンが誤動作してしまうという問題があった。
【０００５】
本発明は、この問題を軽減除去した電気こたつ用食卓台およびその製造方法を提供するものである。
【０００６】
【課題を解決するための手段】
本発明の電気こたつ用食卓台は、食卓台本体として、紙材からなる平板状のフラッシュ構造材の少なくとも一方の面に剛性を有する平板と緩衝用の第一のシートと予め所定の模様が描かれた第二のシートとを順次結合して一体化した板状体を使用し、前記第一のシートを導電材により形成することにより、リモコン受信部が外部からの不要電磁界などに影響されることがないようにしたものである。
【０００７】
【発明の実施の形態】
本発明の請求項１に記載された発明は、リモコン送信部から送信された制御信号により発熱体を制御するリモコン受信部を有するこたつ本体上に載置されて使用され、前記リモコン受信部に向けて制御信号を送信するリモコン送信部を内蔵した電気こたつ用食卓台において、その食卓台は、紙材からなる平板状のフラッシュ構造材の一方の面に剛性を有する平板と緩衝用の第一のシートと予め所定の模様が描かれた第二のシートとを順次接合し、他方の面に少なくとも剛性を有する平板を接合して一体化した板状体であって、前記第一のシートが導電性を有するシートにより構成されており、前記リモコン送信部は、前記平板状のフラッシュ構造材を部分的に切り欠いた空間内に配置されていることを特徴とする電気こたつ用食卓台であり、この構成によれば使用時にこたつ本体の上面全体を覆うように載置される食卓台の内部に、導電性の第一のシートが配置されているため、こたつ本体に設けられたリモコン受信部がこの導電性の第一のシートにより覆われた状態となり、リモコン受信部が外部からの不要電磁界などに影響されることが軽減除去される。また、前記導電性の第一のシートは、平板状のフラッシュ構造を持つ平板体の製造時に、従来より使用されている緩衝用の第一のシートに導電性をもたせることにより、特に新たな工程をなんら付加する必要もないものである。
【０００８】
本発明の請求項２に記載された発明は、リモコン送信部から送信された制御信号により発熱体を制御するリモコン受信部を有するこたつ本体上に載置されて使用され、前記リモコン受信部に向けて制御信号を送信するリモコン送信部を内蔵した電気こたつ用食卓台の製造方法において、紙材からなる平板状のフラッシュ構造材に予め前記リモコン送信部が収納されている空間を形成しておき、その収納空間が形成されたフラッシュ構造材の少なくとも一方の面に剛性を有する平板と、導電性を有する緩衝用の第一のシートと、予め所定の模様が描かれた第二のシートとをこの順で接合し、他方の面に少なくとも剛性を有する平板を接合して一体化して板状体を形成し、然る後に、前記他方の面側から前記板状体の前記収納空間上の前記平板を部分的に除去して前記収納空間部を外部に露出せしめ、その収納空間部に前記リモコン送信部を収納配置することを特徴とした電気こたつ用食卓台の製造方法であり、この構成によれば、前述のように特に新たな工程をなんら付加することなく、外部からの不要電磁界などに影響されることが軽減された制御システムが達成できるものであり、また、予めフラッシュ構造材に、リモコン送信部を形成する電気回路やリード線が配置される収納空間を形成した後に、剛性を有する平板を接合して一体化して板状体を形成し、然る後にこの板状体の前記収納空間上の一方の前記平板を部分的に除去して前記収納空間部を外部に露出せしめ、その収納空間部に前記リモコン送信部を収納配置するものであるため、前記収納空間の面積に比べ平板の除去面積をより少なくすることが容易にできるものである。
【０００９】
（実施の形態）
以下本発明の請求項１および請求項２に記載された発明の実施の形態について図１、図２、図３、図４を用いて説明する。図１は本発明の一実施の形態における電気やぐらこたつ用食卓台の平面図、図２は同電気やぐらこたつ用食卓台の使用状態における側断面図、図３は同電気やぐらこたつ用食卓台の要部拡大断面図、図４は同電気やぐらこたつ用食卓台の一製造工程における食卓台の分解斜視図である。図１および図２において、１は食卓台であり、その中央部にはリモコン送信アンテナ部２が配置され、また、その一隅には使用者が温度設定などをする操作ボタンが配置された操作ボックス４が配置されており、リード線３により前記リモコン送信アンテナ部２に接続されている。
【００１０】
この操作ボタンの操作に応じて、所定の制御信号で変調されたマイクロ波が前記リモコン送信アンテナ部２より、こたつ本体５の中央部に取り付けられたマイクロ波受信アンテナ部６に向けて送信される。そして、受信アンテナ部６で受信されたマイクロ波は制御信号に復調され、制御部７により発熱体ユニット８の発熱量を制御するように構成されている。
【００１１】
本発明の特徴は、前記食卓台１の構成およびその製造方法にある。従来より食卓台１として、フラッシュ構造材を利用した板状体が使用されている。この板状体は、図５に示すように、木材などにより予め所定の大きさに形成された枠体１０の枠内に紙材よりなる平板状のフラッシュ構造材１１を嵌め込み、その一方の主要面である第一面に剛性を有する平板１２ａ、緩衝用の第一のシート１３ａ、予め木目などの所定の模様が描かれた第二のシート１４ａとをこの順序で接合し、他方の第二面には剛性を有する平板１２ｂを接合して一体化して板状体を形成したものである。なお、他方の第二の面にも平板１２ｂの上に第一の面と同様に緩衝用の第一のシート１３ｂ、第二のシート１４ｂを接合して両面とも同様にしてもよい。
【００１２】
図４は、図５に相当する本発明の食卓台の一製造工程における分解斜視図であり、木材などにより予め所定の大きさに形成された枠体１０の枠内に紙材よりなる平板状のフラッシュ構造材１１が嵌め込まれている。このフラッシュ構造材１１には前記リモコン送信アンテナ部２、操作ボックス部４が配置される位置に予め木材などの剛体より内枠１５ａ，１５ｂで囲まれた収納空間１６ａ，１６ｂが形成されるとともに、その両内枠１５ａ，１５ｂ間のフラッシュ構造材１１にはリード線３が配置される切り溝１７が予め形成されている。そして、そのフラッシュ構造材１１の両面には、従来と同様にそれぞれ剛性を有する平板１２ａ，１２ｂ、緩衝用の第一のシート１３ａ，予め木目所定の模様が描かれた第二のシート１４ａとをこの順序で接合して一体化して前記収納空間１６ａ，１６ｂおよび切り溝１７が覆われた板状体を形成したものである。
【００１３】
また、前記緩衝用の第一のシート１３ａは、カーボンなどの導電性の粒子を混入した導電性の紙あるいはアルミ箔などの導電性のシートが使用される。
【００１４】
以上のようにして構成された板状体の主要面でない第二の面側から、前記収納空間１６ａ，１６ｂ上の前記平板１２ｂを部分的に除去して前記収納空間部１６ａ，１６ｂを外部に露出せしめ、かつ、収納空間部１６ｂ上の前記平板１２ａ，第一のシート１３ａおよび第二のシート１４ａを部分的に除去して貫通孔を形成する。そして前記収納空間１６ａ，１６ｂ内に前記リモコン送信部２および操作ボックス４を収納配置するとともに、切り溝１７にリード線３を通し、送信側のシステムを完成させ、必要によりその収納空間部１６ａ，１６ｂを他の部材１８により閉成する。
【００１５】
この構成によれば、使用時にこたつ本体の上面全体を覆うように載置される食卓台の内部に、導電性の第一のシート１３ａが配置されているため、こたつ本体にリモコン受信部６がこの導電性の第一のシート１３ａにより覆われた状態となり、リモコン受信部６が外部からの不要電磁界などに影響されることが軽減除去される。また、前記導電性の第一のシート１３ａは、平板状のフラッシュ構造をもつ平板体の製造時に、従来より使用されている緩衝用の第一のシートに導電性をもたせることにより、特に新たな工程をなんら付加する必要もないものである。
【００１６】
また、予めフラッシュ構造材に、リモコン送信部を形成する電気回路やリード線が配置される収納空間を形成した後に、剛性を有する平板などを接合して一体化して板状体を形成し、然る後にこの板状体の前記収納空間上の前記平板を部分的に除去して前記収納空間部を外部に露出せしめ、その収納空間部に前記リモコン送信部を収納配置するものであるため、前記平板の除去面積を前記収納空間の面積に比べより少なくすることが容易にできるものである。
【００１７】
【発明の効果】
以上のように、本発明によれば、特に新たな部材を追加することなく、また、特に新たな工程をなんら付加することなく、リモコン受信部が外部からの不要電磁界などの影響されることが軽減除去されるものである。
【図面の簡単な説明】
【図１】本発明の実施の形態における電気こたつ用リモコン内蔵食卓台の平面図
【図２】同電気こたつ用リモコン内蔵食卓台の使用状態における断面図
【図３】同電気こたつ用リモコン内蔵食卓台の要部拡大断面図
【図４】同電気こたつ用リモコン内蔵食卓台の一製造工程における分解斜視図
【図５】従来の電気こたつ用リモコン内蔵食卓台の一製造工程における分解斜視図
【符号の説明】
１  食卓台
２  リモコン送信アンテナ部
３  リード線
４  操作ボックス
５  こたつ本体
６  受信アンテナ部
８  発熱体ユニット
１０  枠体
１１  フラッシュ構造材
１２ａ，１２ｂ  平板
１３ａ  第一のシート
１４ａ  第二のシート
１５ａ，１５ｂ  内枠
１６ａ，１６ｂ  収納空間
１７  切り溝
【図１】
0003575202.tif 000002
【図２】
0003575202.tif 000003
【図３】
0003575202.tif 000004
【図４】
0003575202.tif 000005
【図５】
0003575202.tif 000006